(57)【要約】  同一軌道内におけるＣＢＴＣ列車と非ＣＢＴＣ列車（車上装置や無線装置が故障したＣＢＴＣ列車を含む）との混在運転を可能とし、また、混在運転時における列車間の運転間隔を短くし、高密度運行を可能とする技術を提供する。複数の走行ブロックを有する軌道を異なる鉄道信号方式を搭載した複数の列車が走行する場合、先行する列車の現在位置を示す情報を受信した場合には、当該列車が在線している前記走行ブロックを移動閉塞とし、先行する列車の現在位置を示す情報を受信できなかった場合には、当該列車が在線している前記走行ブロックを固定閉塞に割り当てる。
2018142693.tif 000002
【特許請求の範囲】
【請求項１】
列車が走行する軌道全体を複数の区間に分割した走行ブロックごとに移動閉塞又は固定閉塞のいずれかを割り当てる列車制御システムであり、
前記列車の現在位置の情報を受信した場合、先行列車が在線している前記走行ブロックを移動閉塞とし、
前記列車より先行する先行列車の現在位置の情報を受信できなかった場合、前記先行列車が在線している前記走行ブロックを固定閉塞とし、
前記移動閉塞又は前記固定閉塞に基づいて停止限界情報を作成し、前記列車へ送信することを特徴とする列車制御システム。
【請求項２】
請求項１記載の列車制御システムにおいて、
走行ブロックごとに割り当てた前記移動閉塞又は前記固定閉塞の割り当てに基づいて、前記現在位置の情報を受信した前記列車を制御することを特徴とする列車制御システム。
【請求項３】
請求項１記載の列車制御システムにおいて、
前記現在位置の情報を受信した前記列車が走行するブロックに移動閉塞の割り当てがある場合には、前記列車とその先行列車の間隔を移動閉塞方式によって制御し、
前記現在位置の情報を受信した前記列車が走行するブロックに固定閉塞の割り当てがある場合には、前記列車とその先行列車の間隔を移動閉塞方式によって制御することを特徴とする列車制御システム。
【請求項４】
列車と地上設備の間での通信を使って列車の運行と制御を行う機能を有する列車制御システムにおいて、
前記地上設備は、第１鉄道信号方式の地上サブシステムを有し、
前記第１鉄道信号方式の地上サブシステムは、
第１鉄道信号方式の地上装置を有し、
前記地上装置は、
第１鉄道信号方式の車上装置を搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当て、かつ、
前記第１列車の現在位置を示す情報を受信した場合には、当該第１列車が在線している前記走行ブロックを移動閉塞とし、
前記第１列車の現在位置を示す情報を受信できなかった場合には、当該第１列車が在線している前記走行ブロックを固定閉塞に割り当てる手段と、
前記割り当てられた移動閉塞又は前記固定閉塞に基づいて停止限界情報を作成し、前記第１列車へ送信する手段と、
を有することを特徴とする列車制御システム。
【請求項５】
請求項４記載の列車制御システムにおいて、
前記第１鉄道信号方式の地上装置は、ＣＴＢＣ地上装置であり、前記非第１鉄道信号方式の地上装置は、非ＣＢＴＣ地上装置である
ことを特徴とする列車制御システム。
【請求項６】
請求項４記載の列車制御システムにおいて、
前記第１鉄道信号方式の地上装置は、
前記走行ブロックの閉塞情報、列車位置情報、列車検知情報、を示す各情報を記憶する走行ブロック情報記憶部と、
先行する前記第２列車の現在位置を示す情報を受信したとき、前記閉塞情報に移動閉塞を記入する閉塞情報作成部と、
前記閉塞情報作成部の移動閉塞を記入した前記閉塞情報、前記列車位置情報、を元に停止限界情報を作成し、前記第１鉄道信号方式の車上装置を搭載した第１列車へ停止限界情報を含む制御情報を送信する停止限界情報作成部と、
を有することを特徴とする列車制御システム。
【請求項７】
列車と地上設備の間での通信を使って列車の運行と制御を行う機能を有する列車制御システムにおける地上装置において、
第１鉄道信号方式の車上装置を搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当て、かつ、
前記第１列車の現在位置を示す情報を受信した場合には、当該第１列車が在線している前記走行ブロックを移動閉塞とし、
前記第１列車の現在位置を示す情報を受信できなかった場合には、当該第１列車が在線している前記走行ブロックを固定閉塞に割り当て、
前記移動閉塞又は前記固定閉塞に基づいて停止限界情報を作成し、前記第１列車へ送信する機能
を有することを特徴とする列車制御装置。
【請求項８】
複数の列車と地上設備の間での通信を使って列車の運行と制御を行う演算部を含む地上装置を備えた列車制御システムにおける列車制御方法において、
前記演算部は、
第１鉄道信号方式の車上装置を搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当てるステップと、
前記第１列車の現在位置を示す情報を受信した場合には、当該第１列車が在線している前記走行ブロックを移動閉塞に割り当てるステップと、
前記第１列車の現在位置を示す情報を受信できなかった場合には、当該第１列車が在線している前記走行ブロックを固定閉塞に割り当てるステップと、
前記割り当てられた移動閉塞又は前記固定閉塞に基づいて停止限界情報を作成し、前記第１列車へ送信するステップ、
を有することを特徴とする列車制御方法。
【請求項９】
請求項６記載の列車制御システムにおける列車制御方法において、
前記第１鉄道信号方式がＣＢＴＣで、前記第１列車が、ＣＢＴＣの車上装置を搭載したＣＢＴＣ列車であり、前記非第１鉄道信号方式が非ＣＢＴＣで、前記第２列車が非ＣＢＴＣの車上装置を搭載した非ＣＢＴＣ列車であり
前記地上装置は、演算部を含み、前記演算部は、
連動装置から列車検知情報が入力された場合、当該列車検知情報が「落下」であるか否かを判定し、
その判定結果、「落下」である場合には、前記閉塞情報作成部の列車検知情報に「落下」を記入し、「落下」状態でない場合には、列車検知情報に「扛上」を記入する第１ステップと、
前記車上装置から列車位置情報が入力された場合、前記ＣＢＴＣ列車が在線しているか否かを判定し、
その結果、「在線」している場合には、前記閉塞情報作成部の列車位置情報に「在線」を記入し、「在線」していない場合には、前記列車位置情報に「不在」を記入する第２ステップと、
前記列車検知情報が「落下」であるか否か、前記列車位置情報が「在線」であるか否かを判定し、
その結果、「落下」であり、かつ「在線」である場合には、前記閉塞情報作成部の閉塞情報に「移動閉塞」を記入し、「落下」であり、かつ「在線」でない場合には、前記閉塞情報に「固定閉塞」を記入する第３ステップと、
前記閉塞情報作成部より、前記ＣＢＴＣ列車の走行ブロック列を取出し、当該走行ブロック列上の「閉塞情報」に「移動閉塞」の記入がるか否か、走行ブロック列上の列車位置情報に「在線」の記入がないか否かを判定し、
その結果、「移動閉塞」の記入があり、かつ、「在線」の記入がない場合には、前記停止限界情報作成部の停止限界情報に走行ブロック列の「終端」を記入し、
「移動閉塞」の記入があり、かつ、「在線」がある場合には、前記停止限界情報に先行列車の「列車位置」を記入する第４ステップと、
前記第４ステップにて、「移動閉塞」の記入がない場合には、前記走行ブロック列上の列車検知情報に「落下」の記入があるか否かを判定し、
その結果、「落下」の記入がない場合には、前記停止限界情報に走行ブロックの「終端」を記入し、
「落下」の記入がある場合には、前記停止限界情報に列車検知情報が「扛上」の走行ブロックの「終端」を記入する第５ステップと、
前記第４ステップにて、前記停止限界情報作成部の停止限界位置情報に走行ブロック列の「終端」の記入があり、また、前記停止限界情報に先行列車の「列車位置」が記入されている場合には、前記停止限界情報作成部の停止限界情報を出力し、前記第１列車へ送信する第６ステップ
を有することを特徴とする列車制御方法。
【発明の詳細な説明】
【技術分野】
【０００１】
本発明は、列車制御システム及び列車制御装置並びに列車制御方法に関し、更に詳しくは、無線を利用し、列車と地上設備の間での通信を使って列車の運行と制御を行う機能を有する列車制御システムなどに関する。
【背景技術】
【０００２】
この種の列車制御システムとして、例えば、特開２０１４−８８０９８号公報（特許文献１）がある。この特許文献１には、「軌道を走行する列車から無線送信される列車位置情報を沿線無線機によって取得すると共に車軸検知器（在線検知手段）から各区間ＢＳにおける列車在線情報を取得する」列車制御システムによって、「先行列車及びその後続列車の列車位置情報を取得できる場合には、ＣＢＴＣ地上装置により、先行列車の列車位置情報に基づいて後続列車の走行を制御し、両列車の間隔を移動閉塞方式によって制御する。一方、先行列車及びその後続列車の少なくとも一方の列車位置情報を取得できない場合には、ＣＢＴＣ地上装置又は連動装置により、先行列車の在線区間の一つ手前の区間で後続列車を停止させるように後続列車の走行を制御し、両列車の間隔を固定閉塞方式によって制御」し、「同一軌道内におけるＣＢＴＣ列車と非ＣＢＴＣ列車との安全な混在運転を可能とする」との記載がある（要約書参照）。
【先行技術文献】
【特許文献】
【０００３】
【特許文献１】特開２０１４−８８０９８号公報
【発明の概要】
【発明が解決しようとする課題】
【０００４】
特許文献１では、先行列車及びその後続列車の少なくとも一方が列車位置情報を取得できない場合については想定されていない。
つまり、引用文献１に記載された列車制御システムにあっては、先行列車及びその後続列車の少なくとも一方が列車位置情報を取得できない場合、両列車の間隔を固定閉塞方式で制御するため、先行列車が非ＣＢＴＣ列車の場合、安全走行上、列車間の間隔を所定の距離に保つ必要があり、列車間の間隔を短くできるにも拘らず、列車間の運転間隔を短くできないと言う課題があった。【０００５】
そこで、本発明では、例えば、同一軌道内におけるＣＢＴＣ列車と非ＣＢＴＣ列車との混在運転を可能とし、また、混在運転時における列車間の運転間隔を短くし、高密度運行を可能とする技術を提供することを目的とする。
【課題を解決するための手段】
【０００６】
上記課題を解決するために、代表的な本発明の列車制御システムは、
列車と地上設備の間での通信を使って列車の運行と制御を行う機能を有する列車制御システムにおいて、
前記地上設備は、第１鉄道信号方式の地上サブシステムを有し、
前記第１鉄道信号方式の地上サブシステムは、
第１鉄道信号方式の車上サブシステムを搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当て、かつ、
前記第１列車の現在位置を示す情報を受信した場合には、当該第１列車が在線している前記走行ブロックを移動閉塞とし、
前記第２列車の現在位置を示す情報を受信できなかった場合には、当該第２列車が在線している前記走行ブロックを固定閉塞に割り当てる手段と、
前記割り当てた移動閉塞又は前記固定閉塞に基づいて停止限界情報を作成し、前記第１列車へ送信する手段を有することを特徴とする。
【発明の効果】
【０００７】
本発明によれば、混在運転時における列車、例えば、ＣＢＴＣ列車と非ＣＢＴＣ列車との間隔（運転間隔）を短くし、高密度運行を可能とすることができる。
上記した以外の課題、構成及び効果は、以下の実施形態の説明により明らかにされる。
【図面の簡単な説明】
【０００８】
【図１】本発明の列車制御システムの一実施形態を示す概略構成図。
【図２】本発明の地上サブシステム（地上装置）の構成例を示すブロック図。
【図３】本発明における列車運行時の走行制御の仕組み及び軌道の走行ブロックの閉塞情報、列車位置情報、列車検知情報との関係を説明する図。
【図４】本発明における列車運行時の走行制御の仕組み及び軌道の走行ブロックの閉塞情報、列車位置情報、列車検知情報との関係を説明する図。
【図５】本発明における列車運行時の走行制御の仕組み及び軌道の走行ブロックの閉塞情報、列車位置情報、列車検知情報との関係を説明する図。
【図６】本発明における列車運行時の走行制御の仕組み及び軌道の走行ブロックの閉塞情報、列車位置情報、列車検知情報との関係を説明する図。
【図７】図２の地上装置（演算部）の処理の流れを示す第１ステップのフローチャート。
【図８】図２の地上装置（演算部）の処理の流れを示す第２ステップのフローチャート。
【図９】図２の地上装置（演算部）の処理の流れを示す第３ステップのフローチャート。
【図１０】図２の地上装置（演算部）の処理の流れを示す第４ステップのフローチャート。
【図１１】図２の地上装置（演算部）の処理の流れを示す第５ステップのフローチャート。
【図１２】図２の地上装置（演算部）の処理の流れを示す第６ステップのフローチャート。
【発明を実施するための形態】
【０００９】
本実施形態の列車制御システムは、ＣＢＴＣ列車と非ＣＢＴＣ列車が同一の軌道を走行する場合を想定している。
ＣＢＴＣ列車とは、列車と地上設備の間での通信を使って列車の運行と制御を行う信号保安技術である鉄道信号方式の一つであるＣＢＴＣ（車上サブシステム）を搭載した列車であり、非ＣＢＴＣ列車とは、ＣＢＴＣ（車上サブシステム）を備えていない、またはこれらの故障等により、地上装置からの停止限界情報を受信できない状態にある列車である。
【００１０】
本実施形態では、ＣＢＴＣ列車（第１列車）に設置する車上装置が送信した列車位置情報と、列車検知装置が検知したＣＢＴＣ列車又は非ＣＢＴＣ列車（第２列車）の列車検知情報を地上装置（地上サブシステム）が取得する。地上装置は、取得した列車位置情報と、列車検知情報を基に閉塞区間（走行ブロック）ごとに移動閉塞、又は固定閉塞の閉塞情報を作成し、当該閉塞情報を基に停止限界情報（停止限界地点を示す情報）を作成し、車上サブシステムに出力する。
固定閉塞を用いることの欠点として、高速な列車はブレーキ距離が長くなるため、より長い閉塞区間を占有して、線路容量を下げることがある。移動閉塞方式では、列車の移動に伴い、閉塞区間も移動し、走行速度に応じて閉塞区間も増減する。そして、移動閉塞では、路側信号機は不要となり、指示は列車に直接伝達される。
【００１１】
これにより、安全上必要とされる最低限の間隔を保ちながら、できる限り列車を接近させて走行させることができるようになり、線路容量の増大に貢献でき、ＣＢＴＣ列車は、停止限界まで走行できる。
また、本実施形態では、ＣＢＴＣ列車が走行した閉塞区間の閉塞情報を移動閉塞とすることで、後続のＣＢＴＣ列車を移動閉塞で制御する。
すなわち、後続列車は、先行列車の在線している閉塞区間に進入することができる。在線とは、列車がその線路の区間に存在していることである。一方、非ＣＢＴＣ列車が走行した閉塞区間の閉塞情報を固定閉塞とすることで、後続のＣＢＴＣ列車は、先行列車が在線している閉塞区間に進入することができない。後続のＣＢＴＣ列車の走行により、閉塞区間の閉塞情報は、移動閉塞に移行するため、以降に走行するＣＢＴＣ列車は、移動閉塞で走行することができる。
【００１２】
また、本実施形態では、車上装置や車上無線装置の故障により、ＣＢＴＣ列車が非ＣＢＴＣ列車に移行した場合、故障した列車の在線する閉塞区間の閉塞情報を固定閉塞に移行することで、後続のＣＢＴＣ列車は、閉塞の停止限界で走行する。
【００１３】
要するに、本発明の列車制御システムでは、軌道上にＣＢＴＣ列車と非ＣＢＴＣ列車が混在する場合であっても軌道上における走行ブロックごとに移動閉塞または固定閉塞のいずれかを割り当てることで、ＣＢＴＣ列車および非ＣＢＴＣ列車のそれぞれを制御できるようになり、同一軌道内におけるＣＢＴＣ列車と非ＣＢＴＣ列車との混在運転において最適な高密度運行を実現できる。
以下、本発明の列車制御システムの実施例について図面を参照して説明する。
【実施例１】
【００１４】
図１は、本発明の列車制御システムの一実施形態の概略構成を示す図である。
列車制御システムは、車上サブシステム、地上サブシステム、を備えている。【００１５】
車上サブシステムは、ＣＢＴＣ列車１に設置された車上装置２、車上無線装置３を有する。【００１６】
地上サブシステムは、管理するゾーン内にいる列車とのすべての通信を管理し、加えて、管轄範囲内において列車が走行する際に守らなければならない停止限界の計算を行う機能を有する装置であって、地上に設置された地上装置５、地上無線装置（４Ａ、４Ｂ）を備えている。【００１７】
車上サブシステムは、安全上の停止限界に基づいて連続的にＣＢＴＣ列車１の速度を制御し、安全走行に必要な情報をやりとりするために、地上サブシステムとの通信を行う装置であって、車上装置２、車上無線装置３、を備えている。【００１８】
また、列車制御システムは、線路の近傍に設置された列車検知装置６（６Ａ、６Ｂ、６Ｃ、６Ｄ）、列車検知装置６と地上装置５と連動する連動装置７（サブシステム）、を有する。【００１９】
車上サブシステムは、列車位置情報を車上無線装置３に供給し、車上無線装置３は、車上装置２からの列車位置情報を空中に対して送信する。【００２０】
列車検知装置６は、ＣＢＴＣ列車１が近づいたとき、ＣＢＴＣ列車１を検知し、ＣＢＴＣ列車１の位置を示す列車検知情報を出力する。また、列車検知装置６は、非ＣＢＴＣ列車８が近づいたとき、非ＣＢＴＣ列車８を検知し、非ＣＢＴＣ列車８の位置を示す列車検知情報を出力する。【００２１】
地上無線装置４は、車上無線装置３から送信された車上装置２からの列車位置情報を受信し、地上装置５へ出力する。【００２２】
地上装置５は、地上無線装置４にて受信した列車位置情報を取得し、また、列車検知装置６から出力される列車検知情報を、連動装置７を介して取得する機能を有する。【００２３】
地上装置５は、取得した列車位置情報と列車検知情報を元にＣＢＴＣ列車１を停止限界位置まで制御する停止限界情報を作成する機能を有する。また、地上装置５にて作成した停止限界情報を、地上無線装置４を介して空中に送信する機能を有する。【００２４】
連動装置７は、関連する地上側の設備である列車検知装置６や信号機、分岐器、などの管理を行う。【００２５】
車上無線装置３は、地上装置５からの停止限界情報を受信し、車上装置２に供給する。【００２６】
これにより、車上装置２は、この停止限界情報を元にＣＢＴＣ列車１を制御し、ＣＢＴＣ列車１は、停止限界位置まで走行することが可能となる。【００２７】
図２は、地上装置５の構成を示すブロック図である。
地上装置５は、車上情報送受信部２１、停止限界情報作成部２２、連動情報受信部２３、閉塞情報作成部２４、走行ブロック情報記憶部２５を含んでいる。【００２８】
車上情報送受信部２１は、車上装置２との間で情報（含データ）の送受信を行うものであり、地上無線装置４から列車位置情報を受信し、当該列車位置情報を停止限界情報作成部２２に出力し、また、停止限界情報作成部２２にて作成した停止限界情報（停止点）を地上無線装置４に出力する。【００２９】
連動情報受信部２３は、列車検知装置６の列車検知情報を、連動装置７を介し連動情報として受信し、当該連動情報（列車検知情報）を閉塞情報作成部２４に出力する。【００３０】
走行ブロック情報記憶部２５は、走行ブロック１Ｔ〜４Ｔを記憶したテーブルを有する。その他の地上固定情報を記憶してもよい。
走行ブロックと各情報（閉塞情報、列車位置情報、列車検知情報）との対応関係については後述する。【００３１】
閉塞情報作成部２４は、列車検知情報を受けたとき、列車検知装置６から連動装置７、連動情報受信部２３を介して供給される列車検知情報と走行ブロック情報記憶部２５の走行ブロック１Ｔ〜４Ｔを元に閉塞区間の閉塞情報を作成する。
走行ブロック１Ｔ〜４Ｔに対応する情報、つまり、閉塞情報を示す情報（移動閉塞、固定閉塞）３１、車上装置２からの列車位置情報（在線、不在）３２、列車検知情報３３（落下、扛上）は、例えば、閉塞情報作成部２４の内部メモリ（図示せず）に一時的に記入（記憶）される。【００３２】
停止限界情報作成部２２は、閉塞情報作成部２４の閉塞情報、走行ブロック情報記憶部２５の走行ブロック１Ｔ〜４Ｔや走行ブロックの情報、車上装置２からの列車位置情報、などを元に停止限界３４（図３〜図５参照）を算出して停止限界情報（停止点）を作成し、車上情報送受信部２１へ出力する。【００３３】
ここで、停止限界情報作成部２２及び閉塞情報作成部２４を含む各部は、演算部を構成している。演算部は、地上装置５の動作制御を司り、内部に格納されたプログラムに従って、各処理を実行するものであり、その処理の流れは、図７〜図１２にて後述する。【００３４】
次に、ＣＢＴＣ列車１と走行ブロック１Ｔ、２Ｔ、３Ｔ、４Ｔと停止限界３４との関係について説明する。【００３５】
図３は、１台のＣＢＴＣ列車１が軌道上の走行ブロック１Ｔ、２Ｔ、３Ｔ、４Ｔ、を走行している場合における、走行ブロック列と地上装置５の初期状態との関係を示す図である。【００３６】
走行ブロック１Ｔ〜４Ｔは、それぞれ、閉塞情報３１、列車位置情報３２、列車検知情報３３を示す情報を有し、これらの各情報は、図２に示す走行ブロック情報記憶部に記憶する。【００３７】
同図において、ＣＢＴＣ列車１が走行する走行ブロック１Ｔの閉塞情報３１は「移動閉塞」、列車位置情報３２は「在線」、列車検知情報３３は「落下」にある。【００３８】
ＣＢＴＣ列車１が走行していない走行ブロック２Ｔ、３Ｔ、４Ｔでは、閉塞情報３１は「固定閉塞」、列車位置情報３２が「不在」、列車検知情報３３が「扛上」となる。【００３９】
係る状態において、地上装置５は、走行ブロック列上の走行ブロック２Ｔ、３Ｔ、４Ｔの列車検知情報３３が「扛上」にある場合には、走行ブロック１Ｔに在線するＣＢＴＣ列車１に対して、列車が安全に走行できる最遠端である走行ブロック４Ｔに停止限界３４を算出し、停止限界情報を作成する。停止限界情報とは、ＣＢＴＣ列車１を所望の停止限界３４の位置で停止するように制御する情報である。【００４０】
図４は、２台のＣＢＴＣ列車１Ａ、１Ｂが軌道上の走行ブロック１Ｔ、２Ｔ、３Ｔ、４Ｔ、を走行している場合における、走行ブロック列と地上装置５の状態との関係を示す図である。【００４１】
ＣＢＴＣ列車１Ｂが走行ブロックを１Ｔ、２Ｔ、３Ｔ、４Ｔと走行することで、地上装置５は、走行ブロック１Ｔ、２Ｔ、３Ｔ、４Ｔの閉塞情報を「固定閉塞」（図３参照）から「移動閉塞」に移行する。【００４２】
地上装置５は、ＣＢＴＣ列車１ＡからＣＢＴＣ列車１Ｂまでの走行ブロック２Ｔ及び３Ｔの閉塞情報３１が「移動閉塞」の場合には、「移動閉塞」の停止限界であるＣＢＴＣ列車１Ｂの列車位置をＣＢＴＣ列車１Ａの停止限界３４として算出し、停止限界情報を作成する。【００４３】
ＣＢＴＣ列車１Ａは、地上装置５が算出した停止限界３４に従って、ＣＢＴＣ列車１Ｂの後端（先行列車に衝突しないための安全固定区間を含む）まで走行することができる。【００４４】
図５は、１台のＣＢＴＣ列車１と１台の非ＣＢＴＣ列車８が軌道上の走行ブロック１Ｔ、２Ｔ、３Ｔ、４Ｔ、を走行している場合における、走行ブロック列と地上装置５の状態との関係を示す図である。【００４５】
地上装置５は、非ＣＢＴＣ列車８の走行により、走行ブロックの列車位置情報３２が「不在」（走行ブロック２Ｔ、３Ｔ）、列車検知情報３３が「落下」（走行ブロック１Ｔ、４Ｔ）となった場合、閉塞情報３１を「移動閉塞」（図４参照）から「固定閉塞」に移行する。【００４６】
地上装置５は、走行ブロック列上の走行ブロック２Ｔ、３Ｔ、４Ｔの順に列車検知情報３３を確認して、走行ブロック４Ｔが「落下」の場合には、ＣＢＴＣ列車１の「固定閉塞」の停止限界である走行ブロック３Ｔの終端（先行列車に衝突しないための安全固定区間を含む）をＣＢＴＣ列車１Ａの停止限界３４として算出し、停止限界情報を作成する。走行ブロック４Ｔが「落下」の場合とは、地上装置５が列車検知情報「落下」を受信した場合である。
これにより、先行する列車が在線していることを検知することができ、非ＣＢＴＣ列車８の閉塞区間である走行ブロック４ＴにＣＢＴＣ列車１が進入することを防ぐことができる。【００４７】
「固定閉塞」の停止限界３４は、非ＣＢＴＣ列車８の次の閉塞区間の終端としているが、非ＣＢＴＣ列車８が後進した場合等を考慮して、非ＣＢＴＣ列車８から一定の閉塞区間、例えば、走行ブロック３Ｔを空けて、走行ブロック２Ｔの終端をＣＢＴＣ列車１Ａの停止限界として算出してもよい。【００４８】
図６は、１台の非ＣＢＴＣ列車８と１台のＣＢＴＣ列車１が軌道上の走行ブロック１Ｔ、２Ｔ、３Ｔ、４Ｔ、を走行し、非ＣＢＴＣ列車８の前に地上信号機６１が存在する場合における、走行ブロック列と地上装置５の状態との関係を示す図である。【００４９】
非ＣＢＴＣ列車８の制御は、地上装置５の範囲外となるため、本実施例では、その説明は省略する。【００５０】
次に、地上装置５（演算部）の処理の流れについて説明する。
図７〜図１２は、地上装置５の処理の流れを示すフローチャートである。図７のフローチャートに基づく動作は以下のとおりである。【００５１】
ステップＳ７０１：
地上装置５は、列車検知情報を入力する。【００５２】
ステップＳ７０２：
地上装置５は、列車検知情報が落下であるか否かを判断する。落下である場合（ＹＥＳ）は、ステップＳ７０２に進み、落下でない場合（ＮＯ）は、ステップＳ７０４へ進む。【００５３】
ステップＳ７０３：
地上装置５は、閉塞情報作成部２４の列車検知情報欄に落下を記入し、第２ステップへ進む。【００５４】
ステップＳ７０４：
地上装置５は、閉塞情報作成部２４の列車検知情報欄に扛上を記入し、第２ステップへ進む。【００５５】
図８は、第２ステップの処理手順を説明するフローチャートである。図８のフローチャートに基づく動作は以下のとおりである。【００５６】
ステップＳ８０１：
地上装置５は、列車位置情報を入力する。【００５７】
ステップＳ８０２：
地上装置５は、ＣＢＴＣ列車１が在線しているか否かを判断する。在線している場合（ＹＥＳ）は、ステップＳ８０２に進み、在線していない場合（ＮＯ）は、ステップＳ８０４へ進む。【００５８】
ステップＳ８０３：
地上装置５は、閉塞情報作成部２４の在線位置情報に在線を記入し、第２ステップへ進む。【００５９】
ステップＳ８０４：
地上装置５は、閉塞情報作成部２４の列車位置情報に不在を記入し、第３ステップへ進む。【００６０】
図９は、第３ステップの処理手順を説明するフローチャートである。図９のフローチャートに基づく動作は以下のとおりである。【００６１】
ステップＳ９０１：
地上装置５は、列車検知情報が落下であるか否かを判断する。落下である場合（ＹＥＳ）には、ステップＳ９０２へ進み、落下でない場合（ＮＯ）には、第４ステップへ進む。【００６２】
ステップＳ９０２：
地上装置５は、ＣＢＴＣ列車１が在線しているか否かを判断する。在線している場合（ＹＥＳ）には、ステップＳ９０３に進み、在線していない場合（ＮＯ）には、ステップＳ９０４へ進む。【００６３】
ステップＳ９０３：
地上装置５は、閉塞情報作成部２４の閉塞情報に移動閉塞を記入し、第４ステップへ進む。【００６４】
ステップＳ９０４：
地上装置５は、閉塞情報作成部２４の閉塞情報に固定閉塞を記入し、第４ステップへ進む。【００６５】
要するに、先行する列車が第１列車（図４）と第２列車（図５）の場合があり、先行する列車が第１列車において、ステップＳ９０３において、
例えば、（図４）には、車上装置２から列車位置情報を受信できた場合は、ステップＳ９０３にて、「移動閉塞」に割り当て、無線故障等により位置情報が受信できなかった場合は、ステップＳ９０４にえ、「固定閉塞」を割り当てる。先行する列車が第２列車の場合には、「固定閉塞」を割り当てる。【００６６】
図１０は、第４ステップの処理手順を説明するフローチャートである。図１０のフローチャートに基づく動作は以下のとおりである。【００６７】
ステップＳ１００１：
地上装置５は、走行ブロック情報記憶部２５よりＣＢＴＣ列車１の走行ブロック列を取り出す。【００６８】
ステップＳ１００２：
地上装置５は、走行ブロック列上の閉塞情報に移動閉塞の記入があるか否かを判断する。移動閉塞の記入がある場合（ＹＥＳ）には、ステップＳ１００３へ進み、ない場合（ＮＯ）には、第５ステップへ進む。【００６９】
ステップＳ１００３：
地上装置５は、走行ブロック上の列車位置情報に再選に記入がないか否かを判断する。記入がない場合（ＹＥＳ）には、ステップＳ１００４へ進み、ある場合（ＮＯ）には、ステップＳ１００５へ進む。【００７０】
ステップＳ１００４：
地上装置５は、停止限界情報作成部２２の停止限界情報に走行ブロック列の終端を記入し、第６ステップへ進む。【００７１】
ステップＳ１００５：
地上装置５は、停止限界情報作成部２２の停止限界情報に先行列車の列車位置を記入し、第６ステップへ進む。【００７２】
図１１は、第５ステップの処理手順を説明するフローチャートである。図１１のフローチャートに基づく動作は以下のとおりである。【００７３】
ステップＳ１１０１：
地上装置５は、列車ブロック列上の列車検知情報に落下の記入がないか否かを判断する。落下の記入がない場合（ＹＳＥ）には、ステップＳ１００２へ進み、ある場合）ＮＯ）には、ステップＳ１１０３へ進む。【００７４】
ステップＳ１１０２：
地上装置５は、停止限界情報作成部２２の停止限界情報に走行ブロック列の終端を記入し、第６ステップへ進む。【００７５】
ステップＳ１１０３：
地上装置５は、停止限界情報作成部２２の停止限界情報に列車検知情報が扛上の走行ブロックの終端を記入し、第６ステップへ進む。【００７６】
図１２は、第６ステップの処理手順を説明するフローチャートである。図１２のフローチャートに基づく動作は以下のとおりである。【００７７】
ステップＳ１２０１：
停止限界情報作成部２２の停止限界情報を車上情報送受信部２１に出力する。【００７８】
なお、本発明は、上述した実施例に限定されるものではなく、本発明に開示される技術的思考の範囲内において当業者による様々な変更および修正が可能であり、様々な変形例が含まれる。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７９】
１・・・ＣＢＴＣ列車、２・・・車上装置、３・・・車上無線装置、４・・・地上無線装置、５・・・地上装置、６・・・列車検知装置、７・・・連動装置、１Ｔ、２Ｔ、３Ｔ、４Ｔ・・・走行ブロック、８・・・非ＣＢＴＣ列車、２１・・・車上情報送受信部、２２・・・停止限界情報作成部、２３・・・連動情報受信部、２４・・・閉塞情報作成部、２５・・・走行ブロック情報記憶部、３１・・・閉塞情報、３２・・・列車位置情報、３３・・・列車検知情報、３４・・・停止限界、６１・・・地上信号機。
【図１】
2018142693.tif 000003
【図２】
2018142693.tif 000004
【図３】
2018142693.tif 000005
【図４】
2018142693.tif 000006
【図５】
2018142693.tif 000007
【図６】
2018142693.tif 000008
【図７】
2018142693.tif 000009
【図８】
2018142693.tif 000010
【図９】
2018142693.tif 000011
【図１０】
2018142693.tif 000012
【図１１】
2018142693.tif 000013
【図１２】
2018142693.tif 000014
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
列車が走行する軌道全体を複数の区間に分割した走行ブロックごとに移動閉塞又は固定閉塞のいずれかを割り当てる列車制御システムであり、
前記列車の現在位置の情報を受信した場合、先行列車が在線している前記走行ブロックを移動閉塞とし、
前記列車より先行する先行列車の現在位置の情報を受信できなかった場合、前記先行列車が在線している前記走行ブロックを固定閉塞とし、
前記移動閉塞又は前記固定閉塞に基づいて停止限界情報を作成し、前記列車へ送信することを特徴とする列車制御システム。
【請求項２】
請求項１記載の列車制御システムにおいて、
走行ブロックごとに割り当てた前記移動閉塞又は前記固定閉塞の割り当てに基づいて、前記現在位置の情報を受信した前記列車を制御することを特徴とする列車制御システム。
【請求項３】
請求項１記載の列車制御システムにおいて、
前記現在位置の情報を受信した前記列車が走行するブロックに移動閉塞の割り当てがある場合には、前記列車とその先行列車の間隔を移動閉塞方式によって制御し、
前記現在位置の情報を受信した前記列車が走行するブロックに固定閉塞の割り当てがある場合には、前記列車とその先行列車の間隔を移動閉塞方式によって制御することを特徴とする列車制御システム。
【請求項４】
列車と地上設備の間での通信を使って列車の運行と制御を行う機能を有する列車制御システムにおいて、
前記地上設備は、第１鉄道信号方式の地上サブシステムを有し、
前記第１鉄道信号方式の地上サブシステムは、
第１鉄道信号方式の地上装置を有し、
前記地上装置は、
第１鉄道信号方式の車上装置を搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当て、かつ、
前記第１列車の現在位置を示す情報を受信した場合には、当該第１列車が在線している前記走行ブロックを移動閉塞とし、
前記第１列車の現在位置を示す情報を受信できなかった場合には、当該第１列車が在線している前記走行ブロックを固定閉塞に割り当てる手段と、
前記割り当てられた移動閉塞又は前記固定閉塞に基づいて停止限界情報を作成し、前記第１列車へ送信する手段と、
を有することを特徴とする列車制御システム。
【請求項５】
請求項４記載の列車制御システムにおいて、
前記第１鉄道信号方式の地上装置は、ＣＢＴＣ地上装置であり、前記非第１鉄道信号方式の地上装置は、非ＣＢＴＣ地上装置である
ことを特徴とする列車制御システム。
【請求項６】
請求項４記載の列車制御システムにおいて、
前記第１鉄道信号方式の地上装置は、
前記走行ブロックの閉塞情報、列車位置情報、列車検知情報、を示す各情報を記憶する走行ブロック情報記憶部と、
先行する前記第２列車の現在位置を示す情報を受信したとき、前記閉塞情報に移動閉塞を記入する閉塞情報作成部と、
前記閉塞情報作成部の移動閉塞を記入した前記閉塞情報、前記列車位置情報、を元に停止限界情報を作成し、前記第１鉄道信号方式の車上装置を搭載した第１列車へ停止限界情報を含む制御情報を送信する停止限界情報作成部と、
を有することを特徴とする列車制御システム。
【請求項７】
列車と地上設備の間での通信を使って列車の運行と制御を行う機能を有する列車制御システムにおける地上装置において、
第１鉄道信号方式の車上装置を搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当て、かつ、
前記第１列車の現在位置を示す情報を受信した場合には、当該第１列車が在線している前記走行ブロックを移動閉塞とし、
前記第１列車の現在位置を示す情報を受信できなかった場合には、当該第１列車が在線している前記走行ブロックを固定閉塞に割り当て、
前記移動閉塞又は前記固定閉塞に基づいて停止限界情報を作成し、前記第１列車へ送信する機能
を有することを特徴とする地上装置。
【請求項８】
複数の列車と地上設備の間での通信を使って列車の運行と制御を行う演算部を含む地上装置を備えた列車制御システムにおける列車制御方法において、
前記演算部は、
第１鉄道信号方式の車上装置を搭載した第１列車と、前記第１鉄道信号方式と異なる非第１鉄道信号方式の第２列車が、混在して走行する軌道を複数の区間に分割した走行ブロックごとに、移動閉塞、固定閉塞のいずれかの閉塞情報を割り当てるステップと、
前記第１列車の現在位置を示す情報を受信した場合には、当該第１列車が在線している前記走行ブロックを移動閉塞に割り当てるステップと、
前記第１列車の現在位置を示す情報を受信できなかった場合には、当該第１列車が在線している前記走行ブロックを固定閉塞に割り当てるステップと、
前記割り当てられた移動閉塞又は前記固定閉塞に基づいて停止限界情報を作成し、前記第１列車へ送信するステップ、
を有することを特徴とする列車制御方法。
【請求項９】
請求項６記載の列車制御システムにおける列車制御方法において、
前記第１鉄道信号方式がＣＢＴＣで、前記第１列車が、ＣＢＴＣの車上装置を搭載したＣＢＴＣ列車であり、前記非第１鉄道信号方式が非ＣＢＴＣで、前記第２列車が非ＣＢＴＣの車上装置を搭載した非ＣＢＴＣ列車であり
前記地上装置は、演算部を含み、前記演算部は、
連動装置から列車検知情報が入力された場合、当該列車検知情報が「落下」であるか否かを判定し、
その判定結果、「落下」である場合には、前記閉塞情報作成部の列車検知情報に「落下」を記入し、「落下」状態でない場合には、列車検知情報に「扛上」を記入する第１ステップと、
前記車上装置から列車位置情報が入力された場合、前記ＣＢＴＣ列車が在線しているか否かを判定し、
その結果、「在線」している場合には、前記閉塞情報作成部の列車位置情報に「在線」を記入し、「在線」していない場合には、前記列車位置情報に「不在」を記入する第２ステップと、
前記列車検知情報が「落下」であるか否か、前記列車位置情報が「在線」であるか否かを判定し、
その結果、「落下」であり、かつ「在線」である場合には、前記閉塞情報作成部の閉塞情報に「移動閉塞」を記入し、「落下」であり、かつ「在線」でない場合には、前記閉塞情報に「固定閉塞」を記入する第３ステップと、
前記閉塞情報作成部より、前記ＣＢＴＣ列車の走行ブロック列を取出し、当該走行ブロック列上の「閉塞情報」に「移動閉塞」の記入がるか否か、走行ブロック列上の列車位置情報に「在線」の記入がないか否かを判定し、
その結果、「移動閉塞」の記入があり、かつ、「在線」の記入がない場合には、前記停止限界情報作成部の停止限界情報に走行ブロック列の「終端」を記入し、
「移動閉塞」の記入があり、かつ、「在線」がある場合には、前記停止限界情報に先行列車の「列車位置」を記入する第４ステップと、
前記第４ステップにて、「移動閉塞」の記入がない場合には、前記走行ブロック列上の列車検知情報に「落下」の記入があるか否かを判定し、
その結果、「落下」の記入がない場合には、前記停止限界情報に走行ブロックの「終端」を記入し、
「落下」の記入がある場合には、前記停止限界情報に列車検知情報が「扛上」の走行ブロックの「終端」を記入する第５ステップと、
前記第４ステップにて、前記停止限界情報作成部の停止限界位置情報に走行ブロック列の「終端」の記入があり、また、前記停止限界情報に先行列車の「列車位置」が記入されている場合には、前記停止限界情報作成部の停止限界情報を出力し、前記第１列車へ送信する第６ステップ
を有することを特徴とする列車制御方法。
【手続補正３】
【補正対象書類名】明細書
【補正対象項目名】０００１
【補正方法】変更
【補正の内容】
【０００１】
本発明は、列車制御システム及び地上装置並びに列車制御方法に関し、更に詳しくは、無線を利用し、列車と地上設備の間での通信を使って列車の運行と制御を行う機能を有する列車制御システムなどに関する。
【国際調査報告】
2018142693.tif 000015
2018142693.tif 000016
2018142693.tif 000017
2018142693.tif 000018